(57)【要約】【課題】リモコンの操作ボタンの機能説明を簡単な操作で表示画面上に表示することが可能な表示ガイドシステムと表示ガイド方法を提供する。【解決手段】リモコン１７の操作ボタンの画像を表示装置１４上に表示し、各操作ボタンの機能を表示させる表示ガイドである。リモコン１７の操作ボタンは、少なくとも第１の操作と第２の操作の２つの操作形態を備え、第１の操作で操作ボタンの機能を実行し、第２の操作で操作ボタンの機能説明を表示画面上に表示する。そして、第１の操作は、操作ボタンを押圧する操作形態であり、第２の操作は、操作ボタンに所定時間触れ続ける操作形態とすることができ、また、第１の操作は、操作ボタンを深押しする操作形態であり、第２の操作は、操作ボタンを半押しする操作形態とすることができる。【選択図】図１
2007158792.tif 000002
【特許請求の範囲】
【請求項１】
リモコンの操作ボタンの画像を表示画面上に表示し、各操作ボタンの機能を表示させる表示ガイドシステムであって、
前記リモコンの操作ボタンは、少なくとも第１の操作と第２の操作の２つの操作形態を備え、第１の操作で前記操作ボタンの機能を実行し、第２の操作で前記操作ボタンの機能説明を前記表示画面上に表示することを特徴とする表示ガイドシステム。
【請求項２】
前記第１の操作は、前記操作ボタンを押圧する操作形態であり、前記第２の操作は、前記操作ボタンに所定時間触れ続ける操作形態であることを特徴とする請求項１に記載の表示ガイドシステム。
【請求項３】
前記第１の操作は、前記操作ボタンを深押しする操作形態であり、前記第２の操作は、前記操作ボタンを半押しする操作形態であることを特徴とする請求項１に記載の表示ガイドシステム。
【請求項４】
リモコンの操作ボタンの画像を表示画面上に表示し、各操作ボタンの機能を表示させる表示ガイド方法であって、
前記リモコンの操作ボタンは、少なくとも第１の操作と第２の操作の２つの操作形態を、第１の操作で前記操作ボタンの機能を実行し、第２の操作で前記操作ボタンの機能説明を表示することを特徴とする表示ガイド方法。
【発明の詳細な説明】
【技術分野】
【０００１】
本発明は、リモコンにより操作されるテレビジョン等の映像機器で、リモコンの操作ボタンの画像を表示画面上に表示して、その機能を表示する表示ガイドに関する。
【背景技術】
【０００２】
近年のテレビジョン受像機、ＤＶＤプレーヤ等の映像機器は、リモコンによる操作が多くなっている。リモコンは、一般に多数の操作ボタンを備え、これらの操作ボタンにより映像機器の画像再生を操作する以外に、種々の設定や調整を行うことができるようになっている。リモコンの操作ボタンの使い方は、通常操作マニュアルに記載されているが、ユーザにおいては、それぞれの機能の全てを確実に記憶しておくことは不可能である。したがって、必要の都度、マニュアルを取り出して参照しながら操作したり、或いは、設定・調整を行うということになる。
【０００３】
しかし、ユーザにおいては、この種のマニュアルは、機器の購入当初は手元においておくとしても、ある時期が過ぎると他のマニュアル類と一緒にして、目立たぬところにしまってしまう人が多い。この後は、必要に応じてその都度マニュアルを探し出して参照することもあるが、操作ボタンの機能がわからないような場合は、取りあえず操作ボタンを押して、その操作結果を見るというような手探りの方法をとる人もいる。操作機能が比較的シンプルな場合は、そのような方法で足りることもあるが、近年のように多くの機能を備えた機器になると容易ではない。
【０００４】
これを解決するために、映像機器の表示画面にリモコンの画像を表示させ、操作ボタンの機能説明を表示画面に表示させる技術が知られている（例えば、特許文献１参照）。図７は、前記の特許文献１に開示されているリモコンにより操作される映像機器に表示される画面の模式図である。この模式図によれば、リモコン本体の「リモコン説明」のボタンを押すことにより、表示画面にリモコングラフィック２０ａが表示されるとともに、「操作」アイコン２１と「リモコン説明」アイコン２２が表示される。
【０００５】
ここで、ユーザがリモコン本体側の「リモコン説明」以外のボタンを押すか、又は、リモコングラフィック２０ａのカーソル２０を移動させて「リモコン説明」以外のグラフィックボタンを選定して、項目選択を行う。この結果、リモコングラフィック２０ａの選択されたボタンの表示状態の変更（例えば、輝度を変える、点滅させるなど）するとともに、表示画面上にそのボタンの機能説明文を表示させる。
【０００６】
図７の例では、リモコングラフィック２０ａの電源ボタンが、カーソル２０により選択され、その表示状態が他のボタンと異なる状態に変更されている。そして、表示画面の空きスペースに、その機能説明文「電源  テレビ電源の入／切に使用します」を表示する。なお、リモコン本体側の「リモコン説明」又は表示画面上の「リモコン説明」アイコン２２をクリックすることにより、表示画面からリモコングラフィック２０ａを消去して、通常の表示状態に戻される。
【特許文献１】特開平１１−３５５６０２号公報
【発明の開示】
【発明が解決しようとする課題】
【０００７】
従来のリモコングラフィックによる表示ガイドによれば、リモコンの各ボタンの機能説明をそのボタンを操作することにより、その映像機器の表示画面上で確認することができる。しかしながら、リモコン本体の「リモコン説明」というボタンを押してリモコングラフィックを表示画面に表示させ、次いで他のボタンを押して、その機能を表示させるというように、少なくとも異なる２つのボタンを押す必要がある。近年の映像機器では、より多くの機能が付与されていると、これらの複数の機能を表示させるには、１つのボタンに複数の操作機能を付与するケースも多く、このような場合は、より複雑なボタン操作をする必要があり、ユーザには使いにくい結果となってしまう。
【０００８】
本発明は、上述した実情に鑑みてなされたもので、リモコンの操作ボタンの機能説明を簡単な操作で表示画面上に表示することが可能な表示ガイドシステムと表示ガイド方法の提供を課題とする。
【課題を解決するための手段】
【０００９】
本発明による表示ガイドシステム及び表示ガイド方法は、リモコンの操作ボタンの画像を表示画面上に表示し、各操作ボタンの機能を表示させる表示ガイドである。リモコンの操作ボタンは、少なくとも第１の操作と第２の操作の２つの操作形態を備え、第１の操作で操作ボタンの機能を実行し、第２の操作で操作ボタンの機能説明を表示画面上に表示する。そして、第１の操作は、操作ボタンを押圧する操作形態であり、第２の操作は、操作ボタンに所定時間触れ続ける操作形態とすることができ、また、第１の操作は、操作ボタンを深押しする操作形態であり、第２の操作は、操作ボタンを半押しする操作形態とすることができる。
【発明の効果】
【００１０】
本発明によれば、高機能化された映像機器のリモコン操作を、リモコンの各操作ボタンの機能を覚えたり説明書を参照することなく簡単に行うことができる。また、１つの操作ボタンに複数の機能を持たせた場合においても、ユーザには複雑な操作を行うことなく簡単に使用することができる。
【発明を実施するための最良の形態】
【００１１】
図により本発明の実施の形態を説明する。図１は本発明で使用される映像機器のシステムブロックの一例を説明する図である。図中、１０は入力手段、１１はＡＶセレクタ、１２はマイコン、１３は映像デコーダ、１３ａはＯＳＤ表示部、１４は表示装置、１５は音声デコーダ、１６はスピーカ、１７はリモコンを示す。
【００１２】
図１に示すように、テレビジョン受像機、ＤＶＤプレーヤ等の映像機器は、チューナや種々の再生装置による入力手段１０によって、映像及び音声がＡＶセレクタ１１に入力される。ＡＶセレクタ１１に入力されたＡＶ信号は、制御信号をマイコン１２に、映像信号を映像デコーダ１３に、音声信号を音声デコーダ１５にそれぞれ入力される。映像デコーダ１３には、オンスクリーンディスプレイ（On Screen Display：ＯＳＤ）表示部１３ａを備え、表示画面上で設定項目の選定や調整が行えるようになっている。
【００１３】
音声デコーダ１５に入力された音声信号は、スピーカ１６で再生され、マイコン１２に入力された制御信号は映像デコーダ１３、音声デコーダ１５を制御し、また、表示装置１４の制御を行う。なお、映像デコーダ１３にオンスクリーンディスプレイ（On Screen Display：ＯＳＤ）表示部１３ａを備え、表示画面上で設定項目の選定や調整が行えるようにした例を示しているが、マイコン１２に設けるようにしても良い。
【００１４】
表示装置１４には、ＣＲＴ（陰極線管）やＬＣＤ（液晶ディスプレイ）などが用いられ、映像デコーダ１３やＯＳＤ表示部１３ａからの映像信号が入力され、表示画面上に表示される。また、上述した映像機器は、リモコン１７により画像の選択や設定・調整等が行われ、図７で説明したのと同様に、リモコングラフィックによるＯＳＤ表示が用いられる。
【００１５】
図２は、本発明で使用するリモコン１７の本体部の概略を示す図で、その操作面には、複数の数字ボタン１７ａ、メニューボタン１７ｂ、２画面ボタン１７ｃ等を有している。数字ボタン１７ａは、通常はチャンネル選択に用いられるが、映像調整や音声調整等をする際の機能設定の選択キーとしての役目を持たせることもできる。メニューボタン１７ｂは、映像機器の各種設定のために表示画面に設定項目を表示させるものであり、２画面ボタン１７ｃは、例えば、１画面と２画面の選択や操作の切り替えなどを選択し、画面サイズボタン１７ｄは、表示画像の大きさを選択するのに用いられる。その他、表示画面上に表示された設定項目をスクロールするスクロールボタン１７ｅ、選択した項目を決定する決定ボタン１７ｆ等を備えている。
【００１６】
本発明においては、リモコン１７の各操作ボタンとして、少なくとも第１の操作と第２の操作の２つの操作形態を備え、１つの操作ボタンで２つのリモコン信号を出すことができるものが用いられる。この場合、第１の操作でチャンネル選択やメニュー表示等の各操作ボタンに割り当てられた機能を実行させることができる。第２の操作では、後述するように、第１の操作による操作ボタンに割り当てられている機能の説明を、表示画面上にポップアップ等により表示する。
【００１７】
上記の操作ボタンとして、例えば、第１の操作が通常の押圧によりスイッチングする操作形態であるとすると、第２の操作は、操作ボタンに所定時間タッチしていることでスイッチングする操作形態とすることができる。また、第１の操作が深押しによりスイッチングする操作形態であるとすると、第２の操作は、操作ボタンを半押しすることでスイッチングする操作形態とすることができる。その他、第１の操作を２度押しとし、第２の操作を１度押しとするなど、異なる２つの操作形態をとることが可能な操作ボタンであれば、本発明の表示ガイドシステムに用いることができる。これら、少なくとも２つの操作形態を有する操作ボタンは、何れも周知のもので、リモコンの操作ボタンとして使用することができるものである。
【００１８】
図３は、表示装置１４の表示画面を「１画面表示」と「２画面表示」を切り替える例を説明する図である。いま、図３（Ａ）の表示画面が「１画面表示」の状態にあるとき、図２のリモコン１７で２画面ボタン１７ｃを第２の操作（例えば、２画面ボタン１７ｃを押さずに、所定の時間タッチ又は半押しする）で操作したとする。すると、表示画面上にＯＳＤ表示によるリモコングラフィック１８を表示するとともに、リモコングラフィック１８内の２画面ボタン１８ｃを明示し、操作ボタンが第１の操作で操作されたときの機能説明（２画面になります）という説明文１９がポップアップ表示される。
【００１９】
また、図３（Ｂ）のように、表示画面が「２画面表示」の状態にあるとき、同じようにリモコン１７の２画面ボタン１７ｃを第２の操作で操作したとする。この場合、図３（Ａ）の場合と同様に、表示画面上にＯＳＤ表示によるリモコングラフィック１８が表示され、リモコングラフィック１８内の２画面ボタン１８ｃを明示し、操作ボタンが第１の操作で操作されたときの機能説明（１画面になります）という説明文１９がポップアップ表示される。
【００２０】
すなわち、リモコン１７の２画面ボタン１７ｃを、第２の操作で操作することにより、図３（Ａ）と図３（Ｂ）の異なる表示状態に応じて、そのとき状態に対する操作ボタンの第１の操作時における機能説明を表示させることができる。また、リモコングラフィック１８内の２画面ボタン１８ｃは、他の操作ボタンと異なる表示、例えば、色を変えたり、輝度を変えたり、点滅させたりして、操作されたボタンであることを明示させることができる。
【００２１】
図４は、表示装置１４に各種設定・調整のメニュー項目を表示し、そのときの設定ボタン等の表示ガイドを行う例を示す図である。図４（Ａ）は、パソコン本体側のメニューボタン１７ｂを第１の操作で操作してその機能を実行させ、表示画面上にリモコングラフィック１８と、メニュー項目１９ａを表示させた状態を示している。この図４（Ａ）のリモコングラフィック１８とメニュー項目１９ａが表示画面上に表示されているとき、パソコン本体側のメニューボタン１７ｂを第２の操作で操作したとする。
【００２２】
すると、図４（Ｂ）に示すように、リモコン１７の数字ボタン１７ａに対応するリモコングラフィック１８の数字ボタン１８ａの上に、メニュー項目１９ａに示されている「映像調整」、「音声調整」、「省エネ設定」、「チャンネル設定」、「その他の設定」の各表示項目１９ｂを文字で表示し、リモコン１７の各数字ボタン１７ａに割り当てられている操作機能を表示させることができる。なお、リモコン１７のメニューボタン１７ｂに対する第２の操作状態が解除されると、数字ボタン１８ａの上の項目表示１９ｂは消えて図４（Ａ）の状態となる。しかし、項目表示１９ｂは、残したままとするようにしてもよい。
【００２３】
また、図４（Ａ）又は図４（Ｂ）の状態から、リモコン本体側の所定の数字ボタン１７ａ（例えば、「２」の数字ボタン）を、第２の操作で操作したとする。すると、図５に示すように、操作した数字ボタン「２」に対応するリモコングラフィック１８内の数字ボタン１８ａの「２」を明示するとともに、そのボタンに割り当てられている項目（音声調整）の下位階層の設定項目１９ｃをホップアップ表示することができる。このときの設定項目には、例えば、「高音」、「低音」、「バランス」、「サウンド」などで、これらを調整するときの数字キーを割り当てた形態で表示することができる。なお、「２」の数字ボタンを第２の操作で操作したときに、メニュー項目１９ａの項目（音声調整）を他の項目と異なる形態で明示したり、図４（Ｂ）と同じように、数字ボタン１８ａの上に、項目表示１９ｂを表示させるようにしてもよい。
【００２４】
図６は、表示装置１４の表示画面の画面サイズを変更する場合の例を示す図である。リモコン１７の画面サイズボタン１７ｄを第１の操作で操作すると、例えば、画面右上に画面サイズに関する画面サイズ項目１９ｄを表示するとともに、画面左側に図４（Ａ）の例と同様にリモコングラフィック１８を表示する。次いで、画面サイズボタン１７ｄ（グラフィック内では画面サイズボタン１８ｄが対応）を第２の操作で操作すると、図４（Ｂ）で示したのと同様に、リモコングラフィック１８内の数字ボタン１８ａの上に、画面サイズ項目１９ｄに示されている「ノーマル」、「ワイド」、「フル」、「シネマ」のサイズ項目１９ｅを文字で表示し、リモコン１７の各数字ボタン１７ａに割り当てられているサイズ項目を表示させることができる。次いで、図５と同様に、割り当てられた数字ボタンを、リモコン本体側で第２の操作で操作すると、その項目の詳細説明等を表示させることもできる。
【００２５】
上述したように、本発明では、操作ボタンが実際に操作されたときに実行される機能説明を、同じ操作ボタンで実際に操作される形態とは異なる形態で操作することにより、表示画面上に表示させることができる。そして、機能説明用の操作ボタンは、機能の実行時と同じ操作ボタンであるので、複数の操作ボタンを組み合わせた操作を行うことなく、簡単で間違いなく表示させることができる。
【図面の簡単な説明】
【００２６】
【図１】本発明で使用される映像機器のシステムブロックの一例を説明する図である。
【図２】本発明で使用するリモコン本体部の概略を示す図である。
【図３】本発明で、「１画面表示」と「２画面表示」の切替例を説明する図である。
【図４】本発明で、メニュー項目を表示し、そのときの設定ボタン等の表示ガイドを行う例を説明する図である。
【図５】本発明で、下位階層の設定項目をホップアップ表示する例を説明する図である。
【図６】本発明で、画面サイズを変更する例を説明する図である。
【図７】従来の技術を説明する図である。
【符号の説明】
【００２７】
１０…入力手段、１１…ＡＶセレクタ、１２…マイコン、１３…映像デコーダ、１３ａ…ＯＳＤ表示部、１４…表示装置、１５…音声デコーダ、１６…スピーカ、１７…リモコン、１７ａ，１８ａ…数字ボタン、１７ｂ…メニューボタン、１７ｃ，１８ｃ…２画面ボタン、１７ｄ，１８ｄ…画面サイズボタン、１７ｅ…スクロールボタン、１７ｆ…決定ボタン、１８…リモコングラフィック、１９…説明文、１９ａ…メニュー項目、１９ｂ…項目表示、１９ｃ…設定項目、１９ｄ…画面サイズ項目、１９ｅ…サイズ項目。
【図１】
2007158792.tif 000003
【図２】
2007158792.tif 000004
【図３】
2007158792.tif 000005
【図４】
2007158792.tif 000006
【図５】
2007158792.tif 000007
【図６】
2007158792.tif 000008
【図７】
2007158792.tif 000009